(57)【要約】【課題】ＣＯＰを向上させること。【解決手段】温水タンク３７Ａ内に貯蔵された温水を加熱する際、前記温水タンク３７Ａ内に貯蔵された温水の出口水温が第１の目標値よりも低い場合には、前記温水タンク３７Ａ内に貯蔵された温水の出口水温が第１の目標値に達するまで、制御装置４２によりポンプ３１のポンプ出力が最小に絞られ、前記温水タンク３７Ａ内に貯蔵された温水の出口水温が第１の目標値に達したら、前記温水タンク３７Ａ内に貯蔵された温水の出口水温が第１の目標値を維持するようにして、前記制御装置４２により前記ポンプ３１のポンプ出力が最大まで徐々に増加させられ、前記温水タンク３７Ａ内に貯蔵された温水の出口水温が最終目標値に達して、前記温水タンク３７Ａ内に貯蔵された温水の入口水温が所望の目標値に達したら、前記温水タンク３７Ａ内に貯蔵された温水の加熱を終了するエコノミーモードを備えている。【選択図】図１
2012057916.tif 000002
【特許請求の範囲】
【請求項１】
圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、
ポンプにより送出された水が前記室内熱交換器で冷媒から吸熱して温水とされ、該温水を循環させて温水熱源を使用する温水循環流路に流路切替弁を介して連結された温水タンクを備えている水系統とを有するヒートポンプ式給湯装置であって、
前記温水タンクの出口近傍の出口水温を測定する温度計と、この温度計から送られてきた測定値に基づいて前記ポンプのポンプ出力を制御する制御装置とを備え、
前記温水タンク内に貯蔵された温水を加熱する際、前記温水タンク内に貯蔵された温水の出口水温が第１の目標値よりも低い場合には、前記温水タンク内に貯蔵された温水の出口水温が第１の目標値に達するまで、前記制御装置により前記ポンプのポンプ出力が最小に絞られ、前記温水タンク内に貯蔵された温水の出口水温が第１の目標値に達したら、前記温水タンク内に貯蔵された温水の出口水温が第１の目標値を維持するようにして、前記制御装置により前記ポンプのポンプ出力が最大まで徐々に増加させられ、前記温水タンク内に貯蔵された温水の出口水温が最終目標値に達して、前記温水タンク内に貯蔵された温水の入口水温が所望の目標値に達したら、前記温水タンク内に貯蔵された温水の加熱を終了するエコノミーモードを備えていることを特徴とするヒートポンプ式給湯装置。
【請求項２】
圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、
ポンプにより送出された水が前記室内熱交換器で冷媒から吸熱して温水とされ、該温水を循環させて温水熱源を使用する温水循環流路に流路切替弁を介して連結された温水タンクを備えている水系統とを有するヒートポンプ式給湯装置であって、
前記温水タンクの出口近傍の出口水温を測定する温度計と、この温度計から送られてきた測定値に基づいて前記ポンプのポンプ出力を制御する制御装置とを備え、
前記温水タンク内に貯蔵された温水の出口水温が第１の目標値よりも低い場合には、前記温水タンク内に貯蔵された温水の出口水温が第１の目標値に達するまで、前記制御装置により前記ポンプのポンプ出力が最小に絞られ、前記温水タンク内に貯蔵された温水の出口水温が第１の目標値に達したら、前記温水タンク内に貯蔵された温水の出口水温が第１の目標値を維持するようにして、前記制御装置により前記ポンプのポンプ出力が最大まで徐々に増加させられ、前記温水タンク内に貯蔵された温水の出口水温が第１の目標値を超えたら、前記温水タンク内に貯蔵された温水の出口水温が最終目標値に達するまで、前記制御装置により前記ポンプのポンプ出力が再び最小に絞られ、前記温水タンク内に貯蔵された温水の出口水温が最終目標値に達したら、前記温水タンク内に貯蔵された温水の出口水温が最終目標値を維持するようにして、前記制御装置により前記ポンプのポンプ出力が再び最大まで徐々に増加させられて、前記温水タンク内に貯蔵された温水の入口水温が所望の目標値に達したら、前記温水タンク内に貯蔵された温水の加熱を終了するエコノミーモードを備えていることを特徴とするヒートポンプ式給湯装置。
【請求項３】
請求項１および／または請求項２に記載のエコノミーモードと、
前記温水タンク内に貯蔵された温水の出口水温が最終目標値よりも低い場合には、前記温水タンク内に貯蔵された温水の出口水温が最終目標値に達するまで、前記制御装置により前記ポンプのポンプ出力が最小に絞られ、前記温水タンク内に貯蔵された温水の出口水温が最終目標値に達したら、前記温水タンク内に貯蔵された温水の出口水温が最終目標値を維持するようにして、前記制御装置により前記ポンプのポンプ出力が最大まで徐々に増加させられ、前記温水タンク内に貯蔵された温水の入口水温が所望の目標値に達したら、前記温水タンク内に貯蔵された温水の加熱を終了するクイックモードとを備え、
請求項１および／または請求項２に記載のエコノミーモード、および前記クイックモードのいずれか一つをユーザーが選択し得るように構成されていることを特徴とするヒートポンプ式給湯装置。
【請求項４】
圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、
ポンプにより送出された水が前記室内熱交換器で冷媒から吸熱して温水とされ、該温水を循環させて温水熱源を使用する温水循環流路に流路切替弁を介して連結された温水タンクを備えている水系統と、
前記温水タンクの出口近傍の出口水温を測定する温度計と、この温度計から送られてきた測定値に基づいて前記ポンプのポンプ出力を制御する制御装置とを備えたヒートポンプ式給湯装置の運転方法であって、
前記温水タンク内に貯蔵された温水を加熱する際、前記温水タンク内に貯蔵された温水の出口水温が第１の目標値よりも低い場合には、前記温水タンク内に貯蔵された温水の出口水温が第１の目標値に達するまで、前記ポンプのポンプ出力を最小に絞り、前記温水タンク内に貯蔵された温水の出口水温が第１の目標値に達したら、前記温水タンク内に貯蔵された温水の出口水温が第１の目標値を維持するようにして、前記ポンプのポンプ出力を最大まで徐々に増加させ、前記温水タンク内に貯蔵された温水の出口水温が最終目標値に達して、前記温水タンク内に貯蔵された温水の入口水温が所望の目標値に達したら、前記温水タンク内に貯蔵された温水の加熱を終了するようにしたことを特徴とするヒートポンプ式給湯装置の運転方法。
【請求項５】
圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、
ポンプにより送出された水が前記室内熱交換器で冷媒から吸熱して温水とされ、該温水を循環させて温水熱源を使用する温水循環流路に流路切替弁を介して連結された温水タンクを備えている水系統と、
前記温水タンクの出口近傍の出口水温を測定する温度計と、この温度計から送られてきた測定値に基づいて前記ポンプのポンプ出力を制御する制御装置とを備えたヒートポンプ式給湯装置の運転方法であって、
前記温水タンク内に貯蔵された温水の出口水温が第１の目標値よりも低い場合には、前記温水タンク内に貯蔵された温水の出口水温が第１の目標値に達するまで、前記ポンプのポンプ出力を最小に絞り、前記温水タンク内に貯蔵された温水の出口水温が第１の目標値に達したら、前記温水タンク内に貯蔵された温水の出口水温が第１の目標値を維持するようにして、前記ポンプのポンプ出力を最大まで徐々に増加させ、前記温水タンク内に貯蔵された温水の出口水温が第１の目標値を超えたら、前記温水タンク内に貯蔵された温水の出口水温が最終目標値に達するまで、前記ポンプのポンプ出力を再び最小に絞り、前記温水タンク内に貯蔵された温水の出口水温が最終目標値に達したら、前記温水タンク内に貯蔵された温水の出口水温が最終目標値を維持するようにして、前記ポンプのポンプ出力を再び最大まで徐々に増加させて、前記温水タンク内に貯蔵された温水の入口水温が所望の目標値に達したら、前記温水タンク内に貯蔵された温水の加熱を終了するようにしたことを特徴とするヒートポンプ式給湯装置の運転方法。
【発明の詳細な説明】
【技術分野】
【０００１】
本発明は、ヒートポンプを用いて給湯を行うヒートポンプ式給湯装置に関するものである。
【背景技術】
【０００２】
ヒートポンプを用いて給湯を行うヒートポンプ式給湯装置としては、例えば、特許文献１に開示されているものが知られている。
【先行技術文献】
【特許文献】
【０００３】
【特許文献１】特開２００８−３９３５３号公報
【発明の概要】
【発明が解決しようとする課題】
【０００４】
さて、ヒートポンプを用いて給湯を行う従来のヒートポンプ式給湯装置では、温水タンクに高温の温水を貯蔵（蓄熱）する温水貯蔵運転において、例えば、図２中に破線で示すように、温水タンク内に貯蔵された温水の出口水温が最終目標値（例えば、６０℃）に達するまで、ポンプの出力を最小（minimum）に絞り、温水タンク内に貯蔵された温水の出口水温が最終目標値に達したら、温水タンク内に貯蔵された温水の出口水温が最終目標値を維持するようにして、ポンプの出力を最大（maximum）まで徐々に増加させ、温水タンク内に貯蔵された温水の入口水温が所望の目標値（例えば、５８℃）に達したら、温水タンク内に貯蔵された温水の加熱を終了するようにしているものがある。
【０００５】
しかしながら、このような温水貯蔵運転を行うと、冷媒回路の高圧と低圧との差が大きくなり、ＣＯＰ（Coefficient Of Performance：成績係数：動作係数）が低下してしまうといった問題点があった。
また、ＣＯＰが低下することにより、圧縮機を駆動するための動力が増大し、圧縮機を駆動するのに電動モータが使用されている場合には、電動モータに投入すべき電気エネルギーが増大して、電力消費量が増大してしまうといった問題点があった。
【０００６】
本発明は、このような事情に鑑みてなされたものであって、ＣＯＰを向上させることのできるヒートポンプ式給湯装置を提供することを目的とする。
【課題を解決するための手段】
【０００７】
本発明は、上記課題を解決するため、以下の手段を採用した。
本発明の第１の態様に係るヒートポンプ式給湯装置は、圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、ポンプにより送出された水が前記室内熱交換器で冷媒から吸熱して温水とされ、該温水を循環させて温水熱源を使用する温水循環流路に流路切替弁を介して連結された温水タンクを備えている水系統とを有するヒートポンプ式給湯装置であって、前記温水タンクの出口近傍の出口水温を測定する温度計と、この温度計から送られてきた測定値に基づいて前記ポンプのポンプ出力を制御する制御装置とを備え、前記温水タンク内に貯蔵された温水を加熱する際、前記温水タンク内に貯蔵された温水の出口水温が第１の目標値よりも低い場合には、前記温水タンク内に貯蔵された温水の出口水温が第１の目標値に達するまで、前記制御装置により前記ポンプのポンプ出力が最小に絞られ、前記温水タンク内に貯蔵された温水の出口水温が第１の目標値に達したら、前記温水タンク内に貯蔵された温水の出口水温が第１の目標値を維持するようにして、前記制御装置により前記ポンプのポンプ出力が最大まで徐々に増加させられ、前記温水タンク内に貯蔵された温水の出口水温が最終目標値に達して、前記温水タンク内に貯蔵された温水の入口水温が所望の目標値に達したら、前記温水タンク内に貯蔵された温水の加熱を終了するエコノミーモードを備えている。
【０００８】
本発明の第１の態様に係るヒートポンプ式給湯装置によれば、冷媒回路の高圧と低圧との差を従来のものよりも小さくすることができ、ＣＯＰを向上させることができる。
また、ＣＯＰが向上することにより、圧縮機を駆動するための動力を低減させることができ、圧縮機を駆動するのに電動モータが使用されている場合には、電動モータに投入すべき電気エネルギーを低減させることができて、電力消費量を低減させることができる。
【０００９】
本発明の第２の態様に係るヒートポンプ式給湯装置は、圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、ポンプにより送出された水が前記室内熱交換器で冷媒から吸熱して温水とされ、該温水を循環させて温水熱源を使用する温水循環流路に流路切替弁を介して連結された温水タンクを備えている水系統とを有するヒートポンプ式給湯装置であって、前記温水タンクの出口近傍の出口水温を測定する温度計と、この温度計から送られてきた測定値に基づいて前記ポンプのポンプ出力を制御する制御装置とを備え、前記温水タンク内に貯蔵された温水の出口水温が第１の目標値よりも低い場合には、前記温水タンク内に貯蔵された温水の出口水温が第１の目標値に達するまで、前記制御装置により前記ポンプのポンプ出力が最小に絞られ、前記温水タンク内に貯蔵された温水の出口水温が第１の目標値に達したら、前記温水タンク内に貯蔵された温水の出口水温が第１の目標値を維持するようにして、前記制御装置により前記ポンプのポンプ出力が最大まで徐々に増加させられ、前記温水タンク内に貯蔵された温水の出口水温が第１の目標値を超えたら、前記温水タンク内に貯蔵された温水の出口水温が最終目標値に達するまで、前記制御装置により前記ポンプのポンプ出力が再び最小に絞られ、前記温水タンク内に貯蔵された温水の出口水温が最終目標値に達したら、前記温水タンク内に貯蔵された温水の出口水温が最終目標値を維持するようにして、前記制御装置により前記ポンプのポンプ出力が再び最大まで徐々に増加させられて、前記温水タンク内に貯蔵された温水の入口水温が所望の目標値に達したら、前記温水タンク内に貯蔵された温水の加熱を終了するエコノミーモードを備えている。
【００１０】
本発明の第２の態様に係るヒートポンプ式給湯装置によれば、温水タンク内に貯蔵された温水の出口水温を、上述した第１の態様に係るヒートポンプ式給湯装置よりも早く最終目標値に到達させることができる。
その他の作用効果は、上述した第１の態様に係るヒートポンプ式給湯装置と同じであるので、ここではその説明を省略する。
【００１１】
本発明の第３の態様に係るヒートポンプ式給湯装置は、上述した第１の態様に係るエコノミーモードおよび／または上述した第２の態様に係るエコノミーモードと、前記温水タンク内に貯蔵された温水の出口水温が最終目標値よりも低い場合には、前記温水タンク内に貯蔵された温水の出口水温が最終目標値に達するまで、前記制御装置により前記ポンプのポンプ出力が最小に絞られ、前記温水タンク内に貯蔵された温水の出口水温が最終目標値に達したら、前記温水タンク内に貯蔵された温水の出口水温が最終目標値を維持するようにして、前記制御装置により前記ポンプのポンプ出力が最大まで徐々に増加させられ、前記温水タンク内に貯蔵された温水の入口水温が所望の目標値に達したら、前記温水タンク内に貯蔵された温水の加熱を終了するクイックモードとを備え、上述した第１の態様に係るエコノミーモードおよび／または上述した第２の態様に係るエコノミーモード、および前記クイックモードのいずれか一つをユーザーが選択し得るように構成されている。
【００１２】
本発明の第３の態様に係るヒートポンプ式給湯装置によれば、ユーザーによりエコノミーモードが選択された場合には、冷媒回路の高圧と低圧との差を従来のものよりも小さくすることができ、ＣＯＰを向上させることができる。
また、ＣＯＰが向上することにより、圧縮機を駆動するための動力を低減させることができ、圧縮機を駆動するのに電動モータが使用されている場合には、電動モータに投入すべき電気エネルギーを低減させることができて、電力消費量を低減させることができる。
一方、ユーザーによりクイックモードが選択された場合には、温水タンク内に貯蔵された温水の出口水温を、上述した第１の態様に係るヒートポンプ式給湯装置および第２の態様に係るヒートポンプ式給湯装置よりも早く最終目標値に到達させることができる。
【００１３】
本発明の第１の態様に係るヒートポンプ式給湯装置の運転方法は、圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、ポンプにより送出された水が前記室内熱交換器で冷媒から吸熱して温水とされ、該温水を循環させて温水熱源を使用する温水循環流路に流路切替弁を介して連結された温水タンクを備えている水系統と、前記温水タンクの出口近傍の出口水温を測定する温度計と、この温度計から送られてきた測定値に基づいて前記ポンプのポンプ出力を制御する制御装置とを備えたヒートポンプ式給湯装置の運転方法であって、前記温水タンク内に貯蔵された温水を加熱する際、前記温水タンク内に貯蔵された温水の出口水温が第１の目標値よりも低い場合には、前記温水タンク内に貯蔵された温水の出口水温が第１の目標値に達するまで、前記ポンプのポンプ出力を最小に絞り、前記温水タンク内に貯蔵された温水の出口水温が第１の目標値に達したら、前記温水タンク内に貯蔵された温水の出口水温が第１の目標値を維持するようにして、前記ポンプのポンプ出力を最大まで徐々に増加させ、前記温水タンク内に貯蔵された温水の出口水温が最終目標値に達して、前記温水タンク内に貯蔵された温水の入口水温が所望の目標値に達したら、前記温水タンク内に貯蔵された温水の加熱を終了するようにした。
【００１４】
本発明の第１の態様に係るヒートポンプ式給湯装置の運転方法によれば、冷媒回路の高圧と低圧との差を従来のものよりも小さくすることができ、ＣＯＰを向上させることができる。
また、ＣＯＰが向上することにより、圧縮機を駆動するための動力を低減させることができ、圧縮機を駆動するのに電動モータが使用されている場合には、電動モータに投入すべき電気エネルギーを低減させることができて、電力消費量を低減させることができる。
【００１５】
本発明の第２の態様に係るヒートポンプ式給湯装置の運転方法は、圧縮機により送出される冷媒が室外熱交換器および室内熱交換器を備えた閉回路の冷媒回路を循環して気液の状態変化を繰り返すとともに、前記冷媒回路を循環する冷媒の循環方向を切り替えて冷房サイクルまたは暖房サイクルの選択が可能なヒートポンプの冷媒系統と、ポンプにより送出された水が前記室内熱交換器で冷媒から吸熱して温水とされ、該温水を循環させて温水熱源を使用する温水循環流路に流路切替弁を介して連結された温水タンクを備えている水系統と、前記温水タンクの出口近傍の出口水温を測定する温度計と、この温度計から送られてきた測定値に基づいて前記ポンプのポンプ出力を制御する制御装置とを備えたヒートポンプ式給湯装置の運転方法であって、前記温水タンク内に貯蔵された温水の出口水温が第１の目標値よりも低い場合には、前記温水タンク内に貯蔵された温水の出口水温が第１の目標値に達するまで、前記ポンプのポンプ出力を最小に絞り、前記温水タンク内に貯蔵された温水の出口水温が第１の目標値に達したら、前記温水タンク内に貯蔵された温水の出口水温が第１の目標値を維持するようにして、前記ポンプのポンプ出力を最大まで徐々に増加させ、前記温水タンク内に貯蔵された温水の出口水温が第１の目標値を超えたら、前記温水タンク内に貯蔵された温水の出口水温が最終目標値に達するまで、前記ポンプのポンプ出力を再び最小に絞り、前記温水タンク内に貯蔵された温水の出口水温が最終目標値に達したら、前記温水タンク内に貯蔵された温水の出口水温が最終目標値を維持するようにして、前記ポンプのポンプ出力を再び最大まで徐々に増加させて、前記温水タンク内に貯蔵された温水の入口水温が所望の目標値に達したら、前記温水タンク内に貯蔵された温水の加熱を終了するようにした。
【００１６】
本発明の第２の態様に係るヒートポンプ式給湯装置の運転方法によれば、温水タンク内に貯蔵された温水の出口水温を、上述した第１の態様に係るヒートポンプ式給湯装置の運転方法よりも早く最終目標値に到達させることができる。
その他の作用効果は、上述した第１の態様に係るヒートポンプ式給湯装置の運転方法と同じであるので、ここではその説明を省略する。
【発明の効果】
【００１７】
本発明に係るヒートポンプ式給湯装置によれば、冷媒回路の高圧と低圧との差を従来のものよりも小さくすることができ、ＣＯＰを向上させることができるという効果を奏する。
【図面の簡単な説明】
【００１８】
【図１】本発明の第１実施形態に係るヒートポンプ式給湯装置の系統図である。
【図２】本発明の第１実施形態に係るヒートポンプ式給湯装置の運転方法を説明するための図表であって、縦軸に水温・ポンプ出力、横軸に時間をとり、水温と時間との関係、ポンプ出力と時間との関係、水温とポンプ出力との関係を示す図表である。
【図３】本発明の第２実施形態に係るヒートポンプ式給湯装置の運転方法を説明するための図表であって、縦軸に水温・ポンプ出力、横軸に時間をとり、水温と時間との関係、ポンプ出力と時間との関係、水温とポンプ出力との関係を示す図表である。
【発明を実施するための形態】
【００１９】
〔第１実施形態〕
本発明の第１実施形態に係るヒートポンプ式給湯装置およびヒートポンプ式給湯装置の運転方法について、図１および図２を参照しながら説明する。
図１は本実施形態に係るヒートポンプ式給湯装置の系統図、図２は本実施形態に係るヒートポンプ式給湯装置の運転方法を説明するための図表であって、縦軸に水温・ポンプ出力、横軸に時間をとり、水温と時間との関係、ポンプ出力と時間との関係、水温とポンプ出力との関係を示す図表である。
【００２０】
図１に示すように、ヒートポンプ式給湯装置（ヒートポンプ式給湯・空調装置）ＨＰは、冷媒回路を循環する冷媒の循環方向を切り替えて冷房サイクルまたは暖房サイクルの選択が可能なヒートポンプの冷媒系統１０と、ヒートポンプにより水を加熱して得られる温水を給湯や暖房に使用する水系統３０Ａとを備えている。
【００２１】
冷媒系統１０は、圧縮機１１により送出される冷媒が室外熱交換器１２および室外熱交換器１３を備えた閉回路の冷媒回路１４を循環して気液の状態変化を繰り返すものである。本実施形態に係る冷媒回路１４は、圧縮機１１の吐出側に四方弁１５を備えており、この四方弁１５を操作することにより冷媒の循環方向を切り替えて逆転させ、時計回りの冷房サイクルまたは反時計回りの暖房サイクルからいずれか一方を選択することができる。
なお、冷媒回路１４に設けられている符号１６は冷房用電子膨張弁、符号１７は暖房用電子膨張弁、符号１８はレシーバである。
また、図１中の符号１２ａは、室外熱交換器１２を通過する外気量（送風量）の調整を行う外気ファンである。
【００２２】
水系統３０Ａは、ポンプ３１により送出された水が冷媒系統１０に設けられた室外熱交換器（以下、「水熱交換器」ともいう）１３で冷媒から吸熱して温水とされ、この温水を循環させて温水熱源を使用する温水循環流路３２を形成している。この温水循環流路３２には、温水の流路切替弁として、三方弁３３が設けられている。また、この温水循環流路３２には、温水を用いた暖房用熱交換器として機能するラジエター３６と、温水循環流路３２から分岐させて温水を導入し、この温水を貯蔵して蓄熱する温水タンク３７Ａとが設けられている。この場合のラジエター３６は、温水と室内の空気とを熱交換させて暖房する熱交換器である。
水系統３０Ａは、温水タンク３７Ａ内に貯蔵される温水が直接サニタリ水供給回路３８Ａを流れて給湯され、暖房サイクルで水熱交換器１３から供給される温水は、熱交換器４０を介して温水タンク３７Ａ内に貯蔵された温水の加熱に使用される。
【００２３】
なお、このように構成された水系統３０Ａでデフロスト運転を行う場合、水熱交換器１３に供給する温水の昇温に貯蔵温水を使用する場合には、三方弁（流路切替弁）３３を操作して図１中に矢印Ｗで示すように温水流路を切り替える。この結果、低温の循環温水は、温水タンク３７Ａ内を通過して流れるようになり、温水タンク３７Ａの内部を通過する際には、熱交換器４０を介して貯蔵温水の加熱を受けて昇温する。
また、温水タンク３７Ａ内の貯蔵温水が十分な加熱能力を有していない場合には、必要に応じて通電される電気ヒータ３９に通電して加熱・昇温させればよい。
電気ヒータ３９は、温水タンク３７Ａ内に貯蔵されている温水の蓄熱量が所定値以下と低い場合に使用される補助の加熱手段である。すなわち、電気ヒータ３９は、温水タンク３７Ａ内の貯蔵温水が所定水温値以下の場合に通電し、貯蔵温水を加熱して所望の温度まで昇温させるための装置である。
【００２４】
さて、本実施形態においては、温水タンク３７Ａの出口近傍（温水タンク３７Ａからサニタリ水供給回路３８Ａへの流入口近傍）の出口水温を測定する（第１の）温度計４１と、温度計４１から送られてきた測定値に基づいてポンプ３１のポンプ出力を制御する制御装置４２とを備えている。そして、本実施形態において、熱交換器４０を介して温水タンク３７Ａ内に貯蔵された温水を加熱する際、図２に示すように、温水タンク３７Ａ内に貯蔵された温水の出口水温が第１の目標値（本実施形態では４５℃）よりも低い場合には、温水タンク３７Ａ内に貯蔵された温水の出口水温が第１の目標値に達するまで、制御装置４２によりポンプ３１のポンプ出力が最小（minimum）に絞られ（減少させられ）、温水タンク３７Ａ内に貯蔵された温水の出口水温が第１の目標値に達したら、温水タンク３７Ａ内に貯蔵された温水の出口水温が第１の目標値を維持するようにして、制御装置４２によりポンプ３１のポンプ出力が最大（maximum）まで徐々に増加させられ、温水タンク３７Ａ内に貯蔵された温水の出口水温が最終目標値（本実施形態では６０℃）に達して、温水タンク３７Ａ内に貯蔵された温水の入口水温が所望の目標値（本実施形態では５８℃）に達したら、温水タンク３７Ａ内に貯蔵された温水の加熱が終了されるようになっている。
なお、温水タンク３７Ａの入口近傍（サニタリ水供給回路３８Ａから温水タンク３７Ａへの流出口近傍）には、温水タンク３７Ａの入口近傍の入口水温を測定する（第２の）温度計（図示せず）が設けられており、この温度計で測定された測定値は制御装置４２に出力され、送られてきた測定値が所望の目標値（本実施形態では５８℃）に達したら、制御装置４２によりポンプ３１が停止されるようになっている。
【００２５】
また、図２中における破線は、第１の目標値を設けずに、温水タンク３７Ａ内に貯蔵された温水の出口水温をいきなり最終目標値に到達させようとする従来の運転方法を示している。
すなわち、図２中に破線で示す運転方法（急速モード：クイックモード）において、熱交換器４０を介して温水タンク３７Ａ内に貯蔵された温水を加熱する際、温水タンク３７Ａ内に貯蔵された温水の出口水温が最終目標値よりも低い場合には、温水タンク３７Ａ内に貯蔵された温水の出口水温が最終目標値に達するまで、制御装置４２によりポンプ３１のポンプ出力が最小（minimum）に絞られ（減少させられ）、温水タンク３７Ａ内に貯蔵された温水の出口水温が最終目標値に達したら、温水タンク３７Ａ内に貯蔵された温水の出口水温が最終目標値を維持するようにして、制御装置４２によりポンプ３１のポンプ出力が最大（maximum）まで徐々に増加させられ、温水タンク３７Ａ内に貯蔵された温水の入口水温が所望の目標値（本実施形態では５８℃）に達したら、温水タンク３７Ａ内に貯蔵された温水の加熱が終了されるようになっている。
【００２６】
本実施形態に係るヒートポンプ式給湯装置ＨＰおよびヒートポンプ式給湯装置ＨＰの運転方法によれば、冷媒回路１４の高圧と低圧との差を従来のものよりも小さくすることができ、ＣＯＰを向上させることができる。
また、ＣＯＰが向上することにより、圧縮機１１を駆動するための動力を低減させることができ、圧縮機１１を駆動するのに電動モータが使用されている場合には、電動モータに投入すべき電気エネルギーを低減させることができて、電力消費量を低減させることができる。
【００２７】
〔第２実施形態〕
本発明の第２実施形態に係るヒートポンプ式給湯装置およびヒートポンプ式給湯装置の運転方法について、図３を参照しながら説明する。
図３は本実施形態に係るヒートポンプ式給湯装置の運転方法を説明するための図表であって、縦軸に水温・ポンプ出力、横軸に時間をとり、水温と時間との関係、ポンプ出力と時間との関係、水温とポンプ出力との関係を示す図表である。
【００２８】
さて、本実施形態において、熱交換器４０を介して温水タンク３７Ａ内に貯蔵された温水を加熱する際、図３に示すように、温水タンク３７Ａ内に貯蔵された温水の出口水温が第１の目標値（本実施形態では４５℃）よりも低い場合には、温水タンク３７Ａ内に貯蔵された温水の出口水温が第１の目標値に達するまで、制御装置４２によりポンプ３１のポンプ出力が最小（minimum）に絞られ（減少させられ）、温水タンク３７Ａ内に貯蔵された温水の出口水温が第１の目標値に達したら、温水タンク３７Ａ内に貯蔵された温水の出口水温が第１の目標値を維持するようにして、制御装置４２によりポンプ３１のポンプ出力が最大（maximum）まで徐々に増加させられ、温水タンク３７Ａ内に貯蔵された温水の出口水温が第１の目標値を超えたら、温水タンク３７Ａ内に貯蔵された温水の出口水温が最終目標値に達するまで、制御装置４２によりポンプ３１のポンプ出力が再び最小（minimum）に絞られ（減少させられ）、温水タンク３７Ａ内に貯蔵された温水の出口水温が最終目標値に達したら、温水タンク３７Ａ内に貯蔵された温水の出口水温が最終目標値を維持するようにして、制御装置４２によりポンプ３１のポンプ出力が再び最大（maximum）まで徐々に増加させられて、温水タンク３７Ａ内に貯蔵された温水の入口水温が所望の目標値（本実施形態では５８℃）に達したら、温水タンク３７Ａ内に貯蔵された温水の加熱が終了されるようになっている。
【００２９】
本実施形態に係るヒートポンプ式給湯装置ＨＰおよびヒートポンプ式給湯装置ＨＰの運転方法によれば、温水タンク３７Ａ内に貯蔵された温水の出口水温を、上述した第１実施形態のものよりも早く最終目標値に到達させることができる。
その他の作用効果は、上述した第１実施形態のものと同じであるので、ここではその説明を省略する。
【００３０】
なお、本発明は上述した実施形態に限定されるものではなく、適宜必要に応じて変形・変更実施可能である。
例えば、上述した実施形態において、第１の目標値は４５℃に限定されるものではなく、シャワー等の実使用に問題のない（支障のない）温度（３５℃〜５０℃）であれば、どのような温度であってもよい。
また、上述した実施形態において、最終目標値は６０℃に限定されるものではなく、必要に応じて３５℃〜５０℃の範囲内で適宜選択することができる。
【００３１】
さらに、上述した第１実施形態では、図２に実線で示す運転モード（（第１の）エコノミーモード：エコノミーモードＩ）のみが実施され、上述した第２実施形態では、図３に実線で示す運転モード（（第２の）エコノミーモード：エコノミーモードＩＩ）のみが実施されるものについて説明したが、図２に実線で示す運転モード（（第１の）エコノミーモード：エコノミーモードＩ）と、図２中に破線で示す運転方法（急速モード）とが選択的に実施され得るようにしてもよいし、図３に実線で示す運転モード（（第２の）エコノミーモード：エコノミーモードＩＩ）と、図２中に破線で示す運転方法（急速モード）とが選択的に実施され得るようにしてもよい。
【００３２】
さらにまた、図２に実線で示す運転モード（（第１の）エコノミーモード：エコノミーモードＩ）と、図３に実線で示す運転モード（（第２の）エコノミーモード：エコノミーモードＩＩ）とが選択的に実施され得るようにしてもよいし、図２に実線で示す運転モード（（第１の）エコノミーモード：エコノミーモードＩ）と、図３に実線で示す運転モード（（第２の）エコノミーモード：エコノミーモードＩＩ）と、図２中に破線で示す運転方法（急速モード）とが選択的に実施され得るようにしてもよい。
【００３３】
さらにまた、上述した実施形態では、第１の目標値と最終目標値との二つの値を設定するようにしたが、本発明はこれに限定されるものではなく、第１の目標値と最終目標値との間に、第２の目標値を別途設定してもよいし、第１の目標値と最終目標値との間に、第２の目標値および第３の目標値を別途設定してもよい。
【００３４】
さらにまた、ポンプ３１としては、上述した実施形態で採用したインバータモータにより駆動されるものの他、ＡＣモータにより駆動されるものも採用することができる。
【符号の説明】
【００３５】
１１    圧縮機
１２    室外熱交換器
１３    室内熱交換器
１４    冷媒回路
３０Ａ  水系統
３１    ポンプ
３２    温水循環流路
３３    三方弁（流路切替弁）
３７Ａ  温水タンク
４１    温度計
４２    制御装置
ＨＰ    ヒートポンプ式給湯装置
【図１】
2012057916.tif 000003
【図２】
2012057916.tif 000004
【図３】
2012057916.tif 000005